(57)【特許請求の範囲】
【請求項１】
吸気口及び吹き出し口が設けられ且つ前記吸気口と前記吹き出し口とを連通する内部空間を有したハウジングと、
前記内部空間内に配設され、前記吸気口側と前記吹き出し口側とに開口し空気が通過するための貫通孔を有した冷却側及び加熱側の少なくとも二つの多孔体と、
前記加熱側多孔体を加熱する加熱手段と、
前記冷却側多孔体に水を供給する水供給手段と、
前記吸気口から吸い込んだ空気を前記吹き出し口より吹き出させる送風手段と、
前記送風手段のＯＮ・ＯＦＦを行う電源スイッチと、
前記吸気口から吸い込んだ空気が前記冷却側多孔体及び前記加熱側多孔体のいずれか一方の前記貫通孔を通過するように切り換え可能な冷暖房切換手段と
を備えたことを特徴とする瞬間冷暖房装置。
【請求項２】
前記内部空間内で前記冷却側多孔体よりも前記吸気口側に配設された除湿手段を備えたことを特徴とする請求項１記載の瞬間冷暖房装置。
【請求項３】
前記除湿手段は、水分吸着剤より構成されると共に、該水分吸着剤内にヒーター及び温度検知手段を配設したことを特徴とする請求項２記載の瞬間冷暖房装置。
【請求項４】
前記冷却側多孔体に常時接触し且つ前記水供給手段に接続された含水部材を備えたことを特徴とする請求項１から請求項３のいずれか１項記載の瞬間冷暖房装置。
【請求項５】
前記水供給手段は、前記ハウジングに脱着可能な水槽であることを特徴とする請求項１から請求項４のいずれか１項記載の瞬間冷暖房装置。
【請求項６】
前記内部空間内に配設された脱臭手段を備えたことを特徴とする請求項１から請求項５のいずれか１項記載の瞬間冷暖房装置。
【発明の詳細な説明】
【０００１】
【産業上の利用分野】
本発明は、瞬間冷暖房装置に関し、トイレ室内等の小空間の冷暖房用として利用できる。
【０００２】
【従来の技術】
従来より、夏場や梅雨時などの高温多湿時におけるトイレ使用や、冬場など特に寒冷地のように寒さが厳しいところでのトイレ使用は、非常に不快なものであった。そこで、１９９４年に株式会社富士通ゼネラルより発売された商品「マイティー・コンパクト」シリーズの総合カタログに開示されるような、一般的な冷暖房装置を設置すれば良い。これは、室内の空気を室内機内に配設された熱交換器に通し、熱交換器にて冷却もしくは加熱された空気をファンにて再び室内に送り出すものである。
【０００３】
このような一般的な冷暖房装置は、冷房の際には媒体ガス（フロンガスやその代替ガス）を減圧することにより媒体ガスの温度を低下させ、低温化した媒体ガスを室内機の熱交換器に送り、熱交換器にて空気を冷却する。一方、暖房の際には、媒体ガスを加圧することにより媒体ガスの温度を高め、高温化した媒体ガスを上記と同様に室内機の熱交換器に送り、熱交換器により空気を温める。
【０００４】
【発明が解決しようとする課題】
しかしながら、上記したような冷暖房装置をトイレ室内のような比較的狭いところに設置するには、余りにも大き過ぎると共に、高価であるといった問題がある。又、トイレに使用する場合、電源スイッチをＯＮにしたらすぐに冷風が得られることが要求されるが、上記のような従来の冷暖房装置においては、室外機にて冷却若しくは加熱された媒体ガスが室内機内の熱交換器にまで供給されると、ようやく冷風が得られる構成であるために、電源スイッチをＯＮにしてから冷風若しくは温風が得られるまでに時間が掛かるといった問題がある。
【０００５】
本発明は、小型且つ安価であり、電源スイッチをＯＮにすると直ぐに冷風若しくは温風が得られる冷房装置の提供を技術的課題とする。
【０００６】
【課題を解決するための手段】
上記した技術的課題を解決するため請求項１の発明において講じた技術的手段は、吸気口及び吹き出し口が設けられ且つ吸気口と吹き出し口とを連通する内部空間を有したハウジングと、内部空間内に配設され、吸気口側と吹き出し口側とに開口し空気が通過するための貫通孔を有した冷却側及び加熱側の少なくとも二つの多孔体と、加熱側多孔体を加熱する加熱手段と、冷却側多孔体に水を供給する水供給手段と、吸気口から吸い込んだ空気を吹き出し口より吹き出させる送風手段と、送風手段のＯＮ・ＯＦＦを行う電源スイッチと、吸気口から吸い込んだ空気が冷却側多孔体及び加熱側多孔体のいずれか一方の貫通孔を通過するように切り換え可能な冷暖房切換手段とを備えたことである。
【０００７】
室内の空気の除湿を行うと共に、多孔体における空気の冷却効果を向上させるため、請求項２の発明において講じた技術的手段は、内部空間内で冷却側多孔体よりも吸気口側に配設された除湿手段を備えたことことである。
【０００８】
除湿手段の除湿効果を長続きさせるために、請求項３の発明において講じた技術的手段は、除湿手段が、水分吸着剤より構成されると共に、水分吸着剤内にヒーター及び温度検知手段を配設したことである。
【０００９】
冷却側多孔体全体に均等に水を浸透させて高い冷却効果を得るために、請求項４の発明において講じた技術的手段は、冷却側多孔体に常時接触し且つ水供給手段に接続された含水部材を備えたことである。
【００１０】
水供給手段を簡素な構成にすると共に、補水が容易に行えるようにするため、請求項５の発明において講じた技術的手段は、水供給手段が、ハウジングに脱着可能な水槽であることである。
【００１１】
本発明の瞬間冷暖房装置をトイレ室内に配設する場合に、トイレ室内の空気を脱臭して快適性を確保するために、請求項６の発明においては、内部空間内に配設された脱臭手段を備えたことである。
【００１２】
【作用】
請求項１の発明においては、電源スイッチをＯＮ操作して送風手段を作動させると、吸気口から内部空間に空気を吸い込む。
【００１３】
このとき、冷暖房切換手段が暖房位置に設定されている場合、吸気口から吸い込まれた空気は、加熱側多孔体に設けられた貫通孔を通過して吹き出し口から吹き出される。内部空間に吸い込まれた空気は、予め加熱手段にて加熱された加熱側多孔体の貫通孔を通るときに空気が加熱されて、吹き出し口から吹き出される。
【００１４】
一方、冷暖房切換手段が冷房位置に設定されている場合、吸気口から吸い込まれた空気は、冷却側多孔体に設けられた貫通孔を通過して吹き出し口から吹き出される。内部空間に吸い込まれた空気は、冷却側多孔体の貫通孔を通るときに、冷却側多孔体に含まれている水分により冷却されると共に、水分を空気中に含んだ状態で、吹き出し口から吹き出される。
【００１５】
請求項２の発明においては、吸気口から内部空間に吸い込まれた空気は、除湿手段にて除湿された後に含水状態の冷却側多孔体の貫通孔を通過するために、空気中に水分を含み易くなり、冷却側多孔体における空気の冷却効果を向上させることができる。
【００１６】
請求項３の発明においては、除湿を行って水分吸着剤の除湿効果が衰えてきたら、ヒーターを作動させて水分吸着剤に含まれている水分を蒸発させることにより、再び水分吸着剤の除湿効果を向上させることができるので、除湿効果を長続きさせることができる。
【００１７】
請求項４の発明においては、冷却側多孔体と含水部材とを常時接触させているために、冷却側多孔体全体に均等に水を浸透させることができて、空気の冷却効果が高いものである。
【００１８】
請求項５の発明においては、水を冷却側多孔体に供給するのに、ハウジングに脱着可能な水槽を用いたことによって、水供給手段を簡素な構成にできる。
【００１９】
請求項６の発明においては、内部空間を通る空気が脱臭手段により脱臭されて吹き出される。
【００２０】
【実施例】
次に、本発明に係る一実施例を図面に基づいて説明する。
【００２１】
図１は本実施例の瞬間冷暖房装置のモデル図、図２は本実施例の瞬間冷暖房装置の外観斜視図、図３は図２中Ｃ方向矢示図、図４は図２のＡ−Ａ断面矢示図、図５は図２中Ｂ−Ｂ断面矢示図（暖房時）、図６は図２中Ｂ−Ｂ断面矢示図（冷房時）、図７は本実施例の冷却側多孔体の外観斜視図、図８は本実施例の加熱側多孔体の外観斜視図である。
【００２２】
図において、ハウジング１０には、空気の吸気口１１及び吹き出し口１２と、空気の流路となる内部空間１３が設けられている。吸気口１１は、図４及び図５からわかるように本実施例のハウジング１０の左右方向（図中左右方向）に長い長孔１１ａに接続されていて、この長孔１１ａを介して吸気口１１と冷房時の吸気窓１１ｂ及び暖房時の吸気窓１１ｃとが連通される。
【００２３】
内部空間１３内には、上流側（冷房時の吸気窓１１ｂ側）から順に、除湿手段であるシリカゲル（水分吸着剤）３０、図７に示される冷却側多孔体２０、図８に示される加熱側多孔体２４、空気内の臭気を取り除く脱臭フィルター（脱臭手段）１４、送風手段であるファン１５が配設されている。
【００２４】
シリカゲル３０が収容されている部分には、電源３２及びスイッチ３３によりＯＮ・ＯＦＦ切り換えされると共に、シリカゲル３０内に配設されている温度センサ（温度検知手段）３４によってもＯＮ・ＯＦＦ切り換えされる電熱線のヒーター３１が配設されている。
【００２５】
冷却側多孔体２０は、図１中上面及び下面に開口した貫通孔２０ａを有していて、吸気口１１から吸い込まれた空気が、冷房時の吸気窓１１ｂ、シリカゲル３０、冷却側多孔体２０の貫通孔２０ａ、加熱側多孔体２４、並びにフィルター１４を通過して吹き出し口１２側に抜ける構成となっている。更に、多孔体２０は、含水部材である布２１によって周囲が覆われている。この含水部材２１は、水供給手段である水槽２２内と導通管２３を介して連通していて、水槽２１内の水が常に布２１に供給される構成となっている。
【００２６】
加熱側多孔体２４には、電源２５及びスイッチ２６によりＯＮ・ＯＦＦ切り換えされると共に、加熱側多孔体２４の温度を検知する温度センサ２８によってもＯＮ・ＯＦＦ切り換えされる電熱線のヒーター（加熱手段）２７が巻き付けられている。
【００２７】
尚、冷却側及び加熱側多孔体２０、２４は、毛細管現象の起こる多くの気泡を有する材質であればよく、本実施例では煉瓦又はセラミックスを用いる。又、含水部材は、布２１に限定する必要はなく、冷却側及び加熱側多孔体２０、２４と同様に毛細管現象の起こる材質、例えばスポンジ等でもよい。
【００２８】
水槽２２は、ハウジング１０に脱着可能な構成となっていて、水の補給が簡単にできるようになっている。
【００２９】
ファン１５は、電源スイッチ１６のＯＮ・ＯＦＦ切り換えにより作動、非作動を繰り返すモータＭによって回転駆動される。
【００３０】
図２中の符号４０は、冷暖房切換手段の操作レバーであって、この操作レバー４０は、図４中に示される回動軸４２を回転中心とした切換弁（冷暖房切換手段）４１の回転運動に連動される。切換弁４１が倒れているとき（図４中実線位置）には、冷却側多孔体２０の貫通孔２０ａの開口を蓋していて（図５）、切換弁４１が直立しているとき（図４中破線位置）には、暖房時の吸気窓１１ｃを閉じる（図６）構成となっている。又、操作レバー４０が暖房位置に設定すると、加熱手段のヒーター２７のスイッチ２６がＯＮとなるようにしておくとよい。
【００３１】
尚、本実施例の瞬間冷暖房装置においては、電源スイッチ１６によりモータＭが作動するようになっているが、人検知センサ等を設けて人が来たら自動的にＯＮ・ＯＦＦ切換を行うようにしてもよい。
【００３２】
尚、本実施例の瞬間冷暖房装置においては、ヒーター２７を電熱線より構成しているが、特にこれに限定するものではなく、市販の帯状ヒーターなどを採用してもなんら問題はない。ヒーター３１も同様である。
【００３３】
次に、本実施例の冷暖房装置の作動を説明する。
【００３４】
電源スイッチ１６をＯＮ操作すると、モータＭが駆動されてファン１５が回転駆動される。
【００３５】
このとき操作レバー４０が暖房位置に設定してあると、加熱手段のヒーター２７が加熱側多孔体２４を予め加熱している。このとき、切換弁４１は倒れていて（図４中実線位置）冷却側多孔体２０の貫通孔２０ａを蓋しているために、吸気口１１から吸入される空気は、長孔１１ａ、暖房時の吸気窓１１ｃ、加熱側多孔体２４の貫通孔２４ａ、並びに脱臭フィルター１４を通過して、吹き出し口１２から加熱側多孔体２４にて加熱された温風が吹き出される。
【００３６】
一方、操作レバー４０が冷房位置に設定してあると、スイッチ２６はＯＦＦとなっていて加熱側多孔体２４は加熱されていない。このとき、切り換え弁４１は直立していて（図４中破線位置）、暖房時の吸気窓１１ｃを蓋しているために、吸気口１１から吸入される空気は、冷房時の吸気窓１１ｂ、シリカゲル３０、冷却側多孔体２０の貫通孔２０ａ、加熱されていない加熱側多孔体２４の貫通孔２４ａ、並びに脱臭フィルター１４を通過して、吹き出し口１２から冷却側多孔体２０にて冷却された冷風が吹き出される。
【００３７】
空気が加熱側多孔体２４の貫通孔２４ａを通るときには、予め加熱されている加熱側多孔体２４の貫通孔２４ａを通ることにより加熱され、空気が冷却側多孔体２０の貫通孔２０ａを通るときには、冷却側多孔体２０に含まれている水分により冷却されると共に、水分を空気中に含んだ状態で、吹き出し口１２から吹き出される。このように、従来技術に見られるような熱交換を行う室外機を必要としないので小型で、安価な煉瓦やセラミックスを利用できるので装置も易く製造でき、電源スイッチ１６をＯＮにすれば直ぐに冷風を得ることができるものである。
【００３８】
又、本実施例においては、吸気口１１から内部空間１３に吸い込まれた空気が、シリカゲル３０にて除湿された後に冷却側多孔体２０の貫通孔２０ａを通過するために、空気中に水分を含み易くなり、冷却側多孔体２０における空気の冷却効果を向上させることができる。
【００３９】
又、本実施例においては、除湿を行ってシリカゲル３０の除湿効果が衰えてきたら、ヒーター３１を作動させてシリカゲル３０に含まれている水分を蒸発させることにより、再びシリカゲル３０の除湿効果を向上させることができるので、除湿効果を長続きさせることができる。
【００４０】
又、本実施例においては、冷却側多孔体２０に含水部材である布２１を巻きつけて常時接触させているために、冷却側多孔体２０全体に均等に水を浸透させることができ、空気の冷却効果が高いものである。
【００４１】
又、本実施例においては、水を冷却側多孔体２０に供給するのに、ハウジング１０に脱着可能な水槽２２を用いたことによって、水供給手段を簡素な構成にできる。しかしながら、特にこれに限定するものではなく、水道から直接供給するようにしてもよいし、冷却側多孔体２０の冷却効果が低下してきたら十分に水分を含んだ別の多孔体と入れ換える構成にしてもよく、要は冷却側多孔体２０に水分を含ませれる構成であればよい。
【００４２】
【発明の効果】
請求項１の発明においては、冷暖房切換手段が暖房位置に設定されているときには、送風手段によって内部空間に吸い込まれた空気が加熱側多孔体の貫通孔を通り、このとき加熱手段にて予め加熱された加熱側多孔体によって空気が加熱される。一方、冷暖房切換手段が冷房位置に設定されているときには、送風手段によって内部空間に吸い込まれた空気が、冷却側多孔体の貫通孔を通り、このときに冷却側多孔体に含まれている水分により冷却されると共に、水分を空気中に含んだ状態で吹き出し口から吹き出される。このように、従来技術に見られるようなコンプレッサ等の収納された室外機を必要としないので小型で、且つ、安価な煉瓦やセラミックスを利用できるので装置も安く、電源スイッチをＯＮにすれば直ぐに冷風を得ることができるものである。
【００４３】
請求項２の発明においては、吸気口から内部空間に吸い込まれた空気は、除湿手段にて除湿された後に冷却側多孔体の貫通孔を通過するために、空気中に水分を含み易くなって多孔体における空気の冷却効果を向上させることができると共に、室内の除湿効果もある。
【００４４】
請求項３の発明においては、除湿を行って水分吸着剤の除湿効果が衰えてきたら、ヒーターを作動させて水分吸着剤に含まれている水分を蒸発させることにより、再び水分吸着剤の除湿効果を向上させることができるので、除湿効果を長続きさせることができる。
【００４５】
請求項４の発明においては、冷却側多孔体と含水部材とを常時接触させているために、冷却側多孔体全体に均等に水を浸透させることができて、空気の冷却効果が高いものである。
【００４６】
請求項５の発明においては、水を多孔体に供給するのに、ハウジングに脱着可能な水槽を用いたことによって、水供給手段を簡素な構成にできる。
【００４７】
請求項６の発明においては、内部空間を通る空気が脱臭手段により脱臭されて吹き出されるために、本発明の瞬間冷暖房装置をトイレ室内等の悪臭が発生する場所に配設したときは、脱臭装置を兼ねることができて有効なものである。
【図面の簡単な説明】
【図１】本発明に係る瞬間冷暖房装置のモデル図を示す。
【図２】本発明に係る瞬間冷暖房装置の外観斜視図を示す。
【図３】図２のＣ方向矢示図を示す。
【図４】図２のＡ−Ａ断面矢示図を示す。
【図５】図２のＢ−Ｂ断面矢示図（暖房時）を示す。
【図６】図２のＢ−Ｂ断面矢示図（冷房時）を示す。
【図７】冷却側多孔体の外観斜視図を示す。
【図８】加熱側多孔体の外観斜視図を示す。
【符号の説明】
１０・・・ハウジング
１１・・・吸気口
１２・・・吹き出し口
１４・・・脱臭フィルター（脱臭手段）
１５・・・ファン（送風手段）
１６・・・電源スイッチ
２０・・・冷却側多孔体
２０ａ・・・貫通孔
２１・・・布（含水部材）
２２・・・水槽（水供給手段）
２４・・・加熱側多孔体
２４ａ・・・貫通孔
２７・・・ヒーター（加熱手段）
３０・・・シリカゲル（水分吸着剤）
３１・・・ヒーター
３４・・・温度センサ（温度検知手段）
４０・・・操作レバー
４１・・・切換弁（冷暖房切換手段）
【図１】
0003572699.tif 000002
【図２】
0003572699.tif 000003
【図３】
0003572699.tif 000004
【図４】
0003572699.tif 000005
【図５】
0003572699.tif 000006
【図６】
0003572699.tif 000007
【図７】
0003572699.tif 000008
【図８】
0003572699.tif 000009